(57)【特許請求の範囲】
【請求項１】
基板の裏面に設けた折り曲げ用溝を閉着して棚部と框前端部及び框下端部とにより断面略コ字状の框凹部を形成し，該框凹部における上記棚部，框前端部，及び框下端部の裏面に各面が接触するように補強材を接合した押入れ用棚板において，
該押入れ用棚板の前後方向における上記框下端部の長さＸは，上記補強材の下端面の長さと上記框前端部の厚みとの合計長さＹより小さく形成されており，上記框下端部の先端面と上記補強材の下端面との間には段部が形成されていることを特徴とする押入れ用棚板。
【請求項２】
請求項１において，上記基板は，硬質繊維板を複数枚重ね合せた積層板であることを特徴とする押入れ用棚板。
【請求項３】
請求項１又は２において，上記基板の表面には，化粧シートを貼着してあることを特徴とする押入れ用棚板。
【請求項４】
請求項１〜３のいずれか一項において，上記押入れ用棚板の前後方向における上記框下端部の長さＸと，上記補強材の下端面の長さと上記框前端部の厚みとの合計長さＹとの間には，
２ｍｍ≦Ｙ−Ｘ≦１５ｍｍ
の関係を有することを特徴とする押入れ用棚板。
【請求項５】
基板の裏面に設けた折り曲げ用溝を閉着して棚部と框前端部及び框下端部とにより断面略コ字状の框凹部を形成し，該框凹部における上記棚部，框前端部，及び框下端部の裏面に各面が接触するように補強材を接合してなり，
前後方向における上記框下端部の長さＸは，上記補強材の下端面の長さと上記框前端部の厚みとの合計長さＹより小さく形成されており，上記框下端部の先端面と上記補強材の下端面との間には段部が形成されている押入れ用棚板を梱包するに当って，
２枚の上記押入れ用棚板を，それぞれの棚部の後端部を相手側の上記段部に当接載置させた形態で梱包することを特徴とする押入れ用棚板の梱包方法。
【請求項６】
請求項５において，上記基板は，硬質繊維板を複数枚重ね合せた積層板であることを特徴とする押入れ用棚板の梱包方法。
【請求項７】
請求項５又は６において，上記基板の表面には，化粧シートを貼着してあることを特徴とする押入れ用棚板の梱包方法。
【請求項８】
請求項５〜７のいずれか一項において，上記押入れ用棚板の前後方向における上記框下端部の長さＸと，上記補強材の下端面の長さと上記框前端部の厚みとの合計長さＹとの間には，
２ｍｍ≦Ｙ−Ｘ≦１５ｍｍ
の関係を有することを特徴とする押入れ用棚板の梱包方法。
【発明の詳細な説明】
【０００１】
【技術分野】
本発明は，安定した形態で梱包することができる，住宅等の押入れに取付けるための押入れ用棚板及びその梱包方法に関する。
【０００２】
【従来技術】
従来の押入れ用棚板としては，図３（Ａ）に示すごとく，基板９０の裏面に設けた折り曲げ用溝を閉着して棚部９１と框前端部９２及び框下端部９３とにより断面略コ字状の框凹部９４を形成し，該框凹部９４における上記棚部９１，框前端部９２，及び框下端部９３の裏面に各面が接触するように補強材２を接合したものがある。
ところで，上記押入れ用棚板９を搬送するために梱包する際には，図３（Ｂ）に示すごとく，通常２枚の上記押入れ用棚板９を一組としてそれぞれの裏面を向かい合わせた状態で梱包する。
【０００３】
【解決しようとする課題】
しかし，上記従来の押入れ用棚板９は，図３（Ａ）に示すごとく，上記框下端部９３の長さが，上記補強材２の下端面２１の長さと上記框前端部９２の厚みとの合計長さに等しい。即ち，上記框下端部９３の先端面９３１と上記補強材２の後端面２２とが略同一平面上にある。
【０００４】
そのため，図３（Ｂ）に示すごとく，それぞれの棚部９１の後端部９１９を相手側の框下端部９３の先端部９３１に当接させた形で梱包すると，上記押入れ用棚板９は，その表裏方向に互いに移動可能であり，不安定である（図３（Ｃ））。
【０００５】
また，他の梱包形態としては，図４（Ｂ）に示すごとく，２枚の上記押入れ用棚板１を，それぞれの棚部９１の後端部９１９の裏面を相手側の框下端部９３の表面に接触させた形で梱包する方法がある。
しかし，この場合には，上記押入れ用棚板９は，その前後左右方向に互いに移動可能であり，不安定である（図４（Ｃ））。そのため，搬送時に両者が互いに擦れ合い，製品に傷をつける場合がある。
【０００６】
また，上記框下端部９３の表面は，基板９０の意匠面であり，化粧シートが貼着してある。該化粧シートは，通常，布団等の出し入れをスムーズに行なうことができるようにするために，滑りやすくなっている。
それ故，上記棚部９１の後端部９１９の裏面と框下端部９３の表面との接触面は，摩擦抵抗が小さく，上記のごとき不具合は一層発生しやすい。
【０００７】
本発明は，かかる従来の問題点に鑑みてなされたもので，安定した形態で梱包することができ，梱包，搬送時に傷等のつき難い押入れ用棚板及びその梱包方法を提供しようとするものである。
【０００８】
【課題の解決手段】
請求項１に記載の発明は，基板の裏面に設けた折り曲げ用溝を閉着して棚部と框前端部及び框下端部とにより断面略コ字状の框凹部を形成し，該框凹部における上記棚部，框前端部，及び框下端部の裏面に各面が接触するように補強材を接合した押入れ用棚板において，
該押入れ用棚板の前後方向における上記框下端部の長さＸは，上記補強材の下端面の長さと上記框前端部の厚みとの合計長さＹより小さく形成されており，上記框下端部の先端面と上記補強材の下端面との間には段部が形成されていることを特徴とする押入れ用棚板にある。
【０００９】
本発明において最も注目すべきことは，上記框下端部の長さＸは，上記補強材の下端面の長さと上記框前端部の厚みとの合計長さＹより小さく形成されており，上記框下端部の先端面と上記補強材の下端面との間には段部が形成されていることである。
【００１０】
次に，本発明の作用効果につき説明する。
上記押入れ用棚板は，框下端部の先端面と補強材の下端面との間には段部が形成されている。そのため，上記押入れ用棚板を搬送等するために，２枚の上記押入れ用棚板を一組としてそれぞれの裏面を向かい合わせた状態で梱包する際，それぞれの棚部の後端部を相手側の上記段部に当接載置させた形態で梱包することができる。
【００１１】
即ち，上記後端部を相手側の上記段部に納めた形で梱包することにより，両者を前後方向に固定することができる。そのため，梱包後は，上記押入れ用棚板が互いに前後方向にずれることを抑制することができる。
また，上記後端部の裏面と上記補強材の下端面は共に，通常滑性を上げる処理を施すことはない。即ち，摩擦抵抗の大きい上記後端部の裏面と上記補強材の下端面とが接触する形で梱包することができる。そのため，上記押入れ用棚板が前後左右にずれることも抑制することができる。
なお，上記の梱包とは，上記２枚の押入れ用棚板を上記のごとく組み合わせて，これをダンボールケースに入れて，ケースを縛ることなどをいう。
【００１２】
以上のごとく，本発明によれば，安定した形態で梱包することができ，梱包，搬送時に傷等のつき難い押入れ用棚板を提供することができる。
【００１３】
次に，請求項２に記載の発明のように，上記基板は，硬質繊維板を複数枚重ね合せた積層板であることが好ましい。
これにより，強度に一層優れた押入れ用棚板を得ることができる。
【００１４】
次に，請求項３に記載の発明のように，上記基板の表面には，化粧シートを貼着してあることが好ましい。
これにより，意匠性に優れた押入れ用棚板を得ることができる。
また，表面滑性に優れた化粧シートを用いることにより，押入れ用棚板上への布団等の出し入れを容易に行なうことができる。
【００１５】
次に，請求項４に記載の発明のように，上記押入れ用棚板の前後方向における上記框下端部の長さＸと，上記補強材の下端面の長さと上記框前端部の厚みとの合計長さＹとの間には，
２ｍｍ≦Ｙ−Ｘ≦１５ｍｍ
の関係を有することが好ましい。
【００１６】
この場合には，上記押入れ用棚板を上記のごとく２枚一組で梱包するとき，それぞれの棚部の後端部を相手側の上記段部に当接載置させて梱包することにより，前後，左右，上下方向にずれることなく，一層安定した状態で梱包することができる。
【００１７】
上記Ｙ−Ｘが２ｍｍ未満の場合には，形成される上記段部の幅が小さすぎるため，梱包の際当接載置させた相手側の上記棚部の後端部が，梱包後に上記段部から脱落するおそれがある。
一方，上記Ｙ−Ｘが１５ｍｍを超える場合には，少なくとも上記補強材の前後方向における寸法が１５ｍｍを超える幅のものを用いる必要があるため，材料費が高くなる，又，重量が増加するという問題が生ずる。
【００１８】
次に，請求項５に記載の発明のように，基板の裏面に設けた折り曲げ用溝を閉着して棚部と框前端部及び框下端部とにより断面略コ字状の框凹部を形成し，該框凹部における上記棚部，框前端部，及び框下端部の裏面に各面が接触するように補強材を接合してなり，
前後方向における上記框下端部の長さＸは，上記補強材の下端面の長さと上記框前端部の厚みとの合計長さＹより小さく形成されており，上記框下端部の先端面と上記補強材の下端面との間には段部が形成されている押入れ用棚板を梱包するに当って，
２枚の上記押入れ用棚板を，それぞれの棚部の後端部を相手側の上記段部に当接載置させた形態で梱包することを特徴とする押入れ用棚板の梱包方法がある。
【００１９】
上記梱包方法によれば，上記請求項１に記載の発明の説明で述べたように，安定した形態で梱包することができ，梱包，搬送時に傷等のつき難い押入れ用棚板の梱包方法を得ることができる。
【００２０】
次に，請求項６に記載の発明のように，上記基板は，硬質繊維板を複数枚重ね合せた積層板であることが好ましい。
これにより，強度に一層優れた押入れ用棚板の梱包方法を得ることができる。
【００２１】
次に，請求項７に記載の発明のように，上記基板の表面には，化粧シートを貼着してあってもよい。
この場合にも，上記化粧シートを傷つけることのない，押入れ用棚板の梱包方法を得ることができる。
また，表面滑性に優れた化粧シートを用いても，上記押入れ用棚板のずれが生じ易くなることもない。
【００２２】
次に，請求項８に記載の発明のように，上記押入れ用棚板の前後方向における上記框下端部の長さＸと，上記補強材の下端面の長さと上記框前端部の厚みとの合計長さＹとの間には，
２ｍｍ≦Ｙ−Ｘ≦１５ｍｍ
の関係を有することが好ましい。
これにより，上記請求項４に記載の発明の説明において述べたごとく，一層安定した状態で梱包することができる押入れ用棚板を得ることができる。
【００２３】
【発明の実施の形態】
実施形態例
本発明の実施形態例にかかる押入れ用棚板につき，図１，図２を用いて説明する。
本例の押入れ用棚板１は，基板１０の裏面に設けた折り曲げ用溝１０１，１０２を閉着して棚部１１と框前端部１２及び框下端部１３とにより断面略コ字状の框凹部１４を形成してある。そして，該框凹部１４における上記棚部１１，框前端部１２，及び框下端部１３の裏面に各面が接触するように補強材２を接合してある。
【００２４】
上記押入れ用棚板１の前後方向における上記框下端部１３の長さＸは，上記補強材２の下端面２１の長さと上記框前端部１２の厚みとの合計長さＹより小さく形成されており，上記框下端部１３の先端面１３１と上記補強材２の下端面２１との間には段部３が形成されている。
【００２５】
なお，上記基板１０は，硬質繊維板を複数枚重ね合せた積層板であり，上記基板１０の表面には，化粧シートが貼着してある。
上記押入れ用棚板１の前後方向における上記框下端部１３の長さＸと，上記補強材２の下端面２１の長さと上記框前端部１２の厚みとの合計長さＹとの間には，
２ｍｍ≦Ｙ−Ｘ≦１５ｍｍ
の関係がある。なお，上記補強材２としては，合板，ＬＶＬ（単板積層材），集成材等が使用される。
【００２６】
次に，本例の押入れ用棚板１を搬送等のために，梱包するに当っては，図２（Ｂ）に示すごとく，２枚の上記押入れ用棚板１を，それぞれの棚部１１の後端部１１９を相手側の上記段部３に当接載置させた形態で梱包する。
即ち，２枚の上記押入れ用棚板１を一組として両者の裏面を向かい合わせた状態で配置する（図２（Ａ））。次いで，それぞれの押入れ用棚板１の棚部１１の後端部１１９を相手側の段部３に当接載置させた形態で重ね合せ（図２（Ｂ）），梱包する。
【００２７】
なお，上記梱包に当っては，図２（Ｂ）に示すごとく，まず，補強材２と略同じ高さのハードボード端材４を一方の上記押入れ用棚板１の裏側にテープ等により仮固定する。その後，上記２枚の押入れ用棚板１を上記のごとく組み合わせる。これを，遊びの殆ど生じない大きさのダンボールケースに入れて，ケースを縛ることにより梱包する。
【００２８】
次に，本例の作用効果につき説明する。
上記押入れ用棚板１は，框下端部１３の先端面１３１と補強材２の下端面２１との間には段部３が形成されている。そのため，上記押入れ用棚板１を搬送等するために，図２（Ａ），（Ｂ）に示すごとく，２枚の上記押入れ用棚板１を一組としてそれぞれの裏面を向かい合わせた状態で梱包する際，それぞれの棚部１１の後端部１１９を相手側の上記段部３に当接載置させた形態で梱包することができる。
【００２９】
即ち，図２（Ｂ）に示すごとく，上記後端部１１９を相手側の上記段部３に納めた形で梱包することにより両者を前後方向に固定することができる。そのため，梱包後は，上記押入れ用棚板１が互いに前後方向にずれることを抑制することができる。
また，上記後端部１１９の裏面と上記補強材２の下端面２１は共に滑性を上げる処理を施していない。即ち，摩擦抵抗の大きい上記後端部１１９の裏面と上記補強材２の下端面２１とが接触する形で梱包することができる。そのため，上記押入れ用棚板１が前後左右にずれることも抑制することができる。
【００３０】
また，上記基板１０は，硬質繊維板を複数枚重ね合せた積層板であるため，上記押入れ用棚板１は強度に一層優れている。
また，上記基板１０の表面には，化粧シートを貼着してあるため，意匠性に優れた押入れ用棚板１を得ることができる。また，表面滑性に優れた化粧シートを用いることにより，押入れ用棚板上１への布団等の出し入れを容易に行なうことができる。
なお，上記押入れ用棚板１を梱包する際には，上記基板１０の意匠面を，他方の押入れ用棚板１に重ねることがないため，表面滑性に優れた上記化粧シートを用いても，上記押入れ用棚板１のずれが生じ易くなることもない。
【００３１】
次に，上記押入れ用棚板１の前後方向における上記框下端部１３の長さＸと，上記補強材２の下端面２１の長さと上記框前端部１２の厚みとの合計長さＹとの間には，
２ｍｍ≦Ｙ−Ｘ≦１５ｍｍ
の関係がある（図１）。
【００３２】
そのため，上記押入れ用棚板１を上記のごとく２枚一組で梱包するとき，それぞれの棚部１１の後端部１１９を相手側の上記段部３に当接載置させて梱包することにより，前後，左右，上下方向にずれることなく，一層安定した状態で梱包することができる。
以上のごとく，本例によれば，安定した形態で梱包することができ，梱包，搬送時に傷等のつき難い押入れ用棚板及びその梱包方法を得ることができる。
【００３３】
【発明の効果】
上述のごとく，本発明によれば，安定した形態で梱包することができ，梱包，搬送時に傷等のつき難い押入れ用棚板及びその梱包方法を提供することができる。
【図面の簡単な説明】
【図１】実施形態例における，押入れ用棚板の部分斜視図。
【図２】実施形態例における，（Ａ）２枚の押入れ用棚板を裏面同士向かい合わせた状態，（Ｂ）棚部の後端部を相手側の段部に当接載置させた状態を表す押入れ用棚板の梱包方法の説明図。
【図３】従来例における，（Ａ）２枚の押入れ用棚板を裏面同士向かい合わせた状態，（Ｂ）棚部の後端部を相手側の框下端部の先端部に当接させた状態を表す押入れ用棚板の梱包方法の説明図，及び（Ｃ）上下方向にずれが生じた状態を表す説明図。
【図４】従来例における，（Ａ）２枚の押入れ用棚板を裏面同士向かい合わせた状態，（Ｂ）棚部の後端部の裏面を相手側の框下端部に重ね合わせた状態を表す押入れ用棚板の梱包方法の説明図，及び（Ｃ）前後方向にずれが生じた状態を表す説明図。
【符号の説明】
１．．．押入れ用棚板，
１０．．．基板，
１１．．．棚部，
１１９．．．後端部，
１２．．．框前端部，
１３．．．框下端部，
１４．．．框凹部，
２．．．補強材，
２１．．．下端面，
３．．．段部，
【図１】
0003931443.tif 000002
【図２】
0003931443.tif 000003
【図３】
0003931443.tif 000004
【図４】
0003931443.tif 000005